(57)【要約】【課題】建物の換気量計算及びエアバランス設計を容易に行うことができ、また、整合の取れた換気計算表及びエアバランス図を簡便且つ迅速に作成することができる換気設計装置を提供する。【解決手段】換気設計装置１は、ＢＩＭ情報から建物の各室に関する複数の室情報を取得する室情報取得部２１と、上記複数の室情報に基づいて、建物の各室の必要換気量を算出する必要換気量算出部２３と、上記各室の必要換気量に基づいて、建物の換気計算リストを作成する換気計算リスト作成部２４と、上記各室の必要換気量とＢＩＭ情報から得られる建物のＣＡＤ図面とに基づいて、当該建物のエアバランス図を作成するエアバランス図作成部２５とを有する。【選択図】図３
2019067083.tif 000002
【特許請求の範囲】
【請求項１】
ＢＩＭ情報から、建物の各室に関する複数の室情報を取得する室情報取得部と、
前記複数の室情報に基づいて、前記建物の各室の必要換気量を算出する必要換気量算出部と、
前記各室の必要換気量に基づいて、前記建物の換気計算表を作成する換気計算表作成部と、
前記各室の必要換気量と前記ＢＩＭ情報から得られる前記建物のＣＡＤ図面とに基づいて、当該建物のエアバランス図を作成するエアバランス図作成部と、
を有することを特徴とする換気設計装置。
【請求項２】
前記室情報取得部は、前記ＢＩＭ情報から、当該建物の各室の室名及び床面積を取得し、
前記必要換気量算出部は、各室の前記室名及び前記床面積に基づいて、当該各室の必要換気量を算出する、請求項１記載の換気設計装置。
【請求項３】
前記各室の用途情報に基づいて当該各室の換気計算条件を設定する換気計算条件設定部を更に有し、
前記必要換気量算出部は、各室の前記室名及び前記床面積並びに前記換気計算条件に基づいて、前記各室の必要換気量を算出する、請求項２記載の換気設計装置。
【請求項４】
前記換気計算条件設定部は、前記各室の用途情報に基づいて、一般換気による換気計算法、火気使用の場合の換気計算法、及び発熱量に基づく換気計算法を含む複数の換気計算法のうちのいずれかを換気計算条件として設定する、請求項３記載の換気設計装置。
【請求項５】
前記換気計算表及び前記エアバランス図の双方をリアルタイムに表示する表示処理部を更に有する、請求項１乃至４のいずれか１項に記載の換気設計装置。
【請求項６】
前記表示処理部によって表示された前記換気計算表内の前記建物の複数の室に対応する複数の換気関連情報を、換気系統ごとに並べ替える表示情報変更部を更に有する、請求項５記載の換気設計装置。
【請求項７】
前記換気計算表及び前記エアバランス図を出力する出力処理部を更に有する、請求項１乃至６のいずれか１項に記載の換気設計装置。
【請求項８】
コンピュータによって実行され、
ＢＩＭ情報から建物の各室に関する複数の室情報を取得する室情報取得ステップと、
前記複数の室情報に基づいて、前記建物の各室の必要換気量を算出する必要換気量算出ステップと、
前記各室の必要換気量に基づいて、前記建物の換気計算表を作成する換気計算リスト作成ステップと、
前記各室の必要換気量と前記ＢＩＭ情報から得られる前記建物のＣＡＤ図面とに基づいて、当該建物のエアバランス図を作成するエアバランス図作成ステップと、
を有することを特徴とする換気設計方法。
【請求項９】
ＢＩＭ情報から建物の各室に関する複数の室情報を取得する室情報取得ステップと、
前記複数の室情報に基づいて、前記建物の各室の必要換気量を算出する必要換気量算出ステップと、
前記各室の必要換気量に基づいて、前記建物の換気計算表を作成する換気計算リスト作成ステップと、
前記各室の必要換気量と前記ＢＩＭ情報から得られる前記建物のＣＡＤ図面とに基づいて、当該建物のエアバランス図を作成するエアバランス図作成ステップと、
を有する換気設計方法をコンピュータに実行させる、コンピュータに読み取り可能な記録媒体に記録されたプログラム。
【請求項１０】
請求項９記載のプログラムを記録したコンピュータ読み取り可能な記録媒体。
【発明の詳細な説明】
【技術分野】
【０００１】
本発明は、換気設計装置、換気設計方法、該方法を実行するためのプログラム及び記憶媒体に関し、特に、ＢＩＭ（Building Information Modeling）を実現するための属性情報と連携して建物の必要換気量及びエアバランスを設計する換気設計装置に関する。
【背景技術】
【０００２】
従来、設備設計者は、建築基準法などの法規或いは部屋の換気回数、発生熱量などに基づいて建物内の必要換気量を算出し、この算出結果に基づいて設備機器の選定、配置等を設計している。また、基本的に、建物内の換気は、上記必要換気量の算出結果に基づいて、各階の給気量（ＯＡ）と排気量（ＥＡ）の総和がゼロになるようにエアバランスを取って設計される。
【０００３】
具体的には、作業者は、エクセル等の表計算ソフトウェアを用いて建物の必要換気量を計算して換気計算表を作成し、また、ＣＡＤソフトウェアを用いて、算出された各部屋の必要換気量に基づいて得られる各部屋の給気量、排気量を建物の建築図面（ＣＡＤ図面）に入力し、エアバランス設計用のエアバランス図を作成している。しかしながら、本方法では、作業者が手入力で換気計算表を作成し、また、ＣＡＤ図面に給気量、排気量の数値を一つずつ手入力してエアバランス図を作成しなければならず、作業が煩雑である。特に、オフィスビルや各種施設などの大きな建物の場合、部屋数が多いため、各部屋の給気量や排気量をＣＡＤ図面に手入力する作業が負担となる。
また、上述のように、建物の設備は換気計算表を用いて設計され、一方、建物自体はＣＡＤ図面を用いて設計されるため、設計変更や誤入力等の何らかの要因で、換気計算表の換気量とエアバランス図の換気量との整合が取れていない場合がある。よって、これら換気量の整合を取るために、換気計算表に入力された換気量とＣＡＤ図面に入力された換気量とが一致しているかを確認した上で、不一致であれば修正作業を行わなければならない。
【０００４】
更に、エアバランス設計では、通常、各部屋の給気量、排気量から当該部屋の正圧／負圧を判断し、各階の正圧及び負圧の総和がゼロになるよう調整するため、作業者は、エアバランス図の作成時に、ＣＡＤ図面に入力された給気量、排気量の数値を必要に応じて手作業で修正する必要がある。
【０００５】
殊に近年、シックハウス対策として、建物の設計段階で換気計算表やエアバランス図の作成が求められる場合が多く、このような要求に応えるべく、換気計算表及びエアバランス図を正確に、且つ迅速に作成する方法が求められている。
【０００６】
ここで、ＢＩＭを実現するための建物の属性情報を用いてビルなどの建物の空調熱負荷、外皮性能或いは一次エネルギー消費量などの熱負荷を計算する方法が用いられている。このとき、コンピュータは、建物の各部位を構成する材料の材質、厚さ、積層順及びその部位の面積等、計算に必要な情報を、ＢＩＭ情報に基づいて作製された３次元モデルから取り出し、取り出した情報に基づいて空調熱負荷等を計算する。ＢＩＭ情報を用いた熱負荷計算方法としては、例えば、３次元ＣＡＤデータから、例えば壁などの複数の部位それぞれについて、その部位を積層構成する１又は複数の材料の少なくとも材質及び積層順を特定する部位構成情報を取得し、該取得された部位構成情報に基づいて、少なくとも材質及び積層順の共通する複数の部位に対して共通の部位構成情報を生成し、当該共通の計算用部位構成情報を用いて熱負荷計算を行うことが開示されている（特許文献１）。
【０００７】
また、建物のエアバランスを調整する方法として、既設の空調機器を利用して、縦空間と室内との差圧あるいは空気の移動量が０になるように還気ファンの回転数或いは排気ダンパの開度を調節することで、隙間風等による空調エネルギーの損失と室内環境の悪化を抑制し得る技術が開示されている（特許文献２）。
【先行技術文献】
【特許文献】
【０００８】
【特許文献１】特開２０１６−１２２３５８号公報
【特許文献２】特開２０１３−１１３４５２号公報
【発明の概要】
【発明が解決しようとする課題】
【０００９】
しかしながら、上記特許文献１の技術では、ＢＩＭを実現するための建物の属性情報を用いて換気量計算やエアバランス設計を行うことができず、換気計算表やエアバランス図の作成作業が煩雑となり、加えて、作成された換気計算表とエアバランス図とが整合していない場合があるため、換気計算書とエアバランス図を整合させる作業が煩雑であり、時間を要する。
【００１０】
また、上記特許文献２の技術では、既設の空調機器を利用して建物のエアバランスを調整するのみであり、建物の設計段階でエアバランス設計を行うことはできない。また、特許文献１と同様、建物の属性情報を用いて換気量計算やエアバランス設計を行うことができず、上記と同様、換気計算表とエアバランス図が整合していないという問題が生じる。
【００１１】
本発明の目的は、建物の換気量計算及びエアバランス設計を容易に行うことができ、また、整合の取れた換気計算表及びエアバランス図を簡便且つ迅速に作成することができる換気設計装置、換気設計方法、該方法を実行するためのプログラム及び記憶媒体を提供することにある。
【課題を解決するための手段】
【００１２】
上記目的を達成するために、本発明の換気設計装置は、ＢＩＭ情報から、建物の各室に関する複数の室情報を取得する室情報取得部と、前記複数の室情報に基づいて、前記建物の各室の必要換気量を算出する必要換気量算出部と、前記各室の必要換気量に基づいて、前記建物の換気計算表を作成する換気計算表作成部と、前記各室の必要換気量と前記ＢＩＭ情報から得られる前記建物のＣＡＤ図面とに基づいて、当該建物のエアバランス図を作成するエアバランス図作成部と、を有することを特徴とする。
【００１３】
前記室情報取得部は、前記ＢＩＭ情報から、当該建物の各室の室名及び床面積を取得し、前記必要換気量算出部は、各室の前記室名及び前記床面積に基づいて、当該各室の必要換気量を算出することができる。
【００１４】
前記換気設計装置は、前記各室の用途情報に基づいて当該各室の換気計算条件を設定する換気計算条件設定部を更に有してもよく、前記必要換気量算出部は、各室の前記室名及び前記床面積並びに前記換気計算条件に基づいて、前記各室の必要換気量を算出することができる。
【００１５】
前記換気計算条件設定部は、前記各室の用途情報に基づいて、一般換気による換気計算法、火気使用の場合の換気計算法、及び発熱量に基づく換気計算法を含む複数の換気計算法のうちのいずれかを換気計算条件として設定することができる。
【００１６】
前記換気設計装置は、前記換気計算表及び前記エアバランス図の双方をリアルタイムに表示する表示処理部を更に有することができる。
【００１７】
また、前記換気設計装置は、前記表示処理部によって表示された前記換気計算表内の前記建物の複数の室に対応する複数の換気関連情報を、換気系統ごとに並べ替える表示情報変更部を更に有することができる。
【００１８】
更に、前記換気設計装置は、前記換気計算表及び前記エアバランス図を出力する出力処理部を更に有することができる。
【００１９】
上記目的を達成するために、本発明の換気設計方法は、コンピュータによって実行され、ＢＩＭ情報から建物の各室に関する複数の室情報を取得する室情報取得ステップと、前記複数の室情報に基づいて、前記建物の各室の必要換気量を算出する必要換気量算出ステップと、前記各室の必要換気量に基づいて、前記建物の換気計算表を作成する換気計算リスト作成ステップと、前記各室の必要換気量と前記ＢＩＭ情報から得られる前記建物のＣＡＤ図面とに基づいて、当該建物のエアバランス図を作成するエアバランス図作成ステップと、を有することを特徴とする。
【００２０】
上記目的を達成するために、本発明のプログラムは、ＢＩＭ情報から建物の各室に関する複数の室情報を取得する室情報取得ステップと、前記複数の室情報に基づいて、前記建物の各室の必要換気量を算出する必要換気量算出ステップと、前記各室の必要換気量に基づいて、前記建物の換気計算表を作成する換気計算リスト作成ステップと、前記各室の必要換気量と前記ＢＩＭ情報から得られる前記建物のＣＡＤ図面とに基づいて、当該建物のエアバランス図を作成するエアバランス図作成ステップと、を有する換気設計方法をコンピュータに実行させる、コンピュータに読み取り可能な記録媒体に記録されたプログラムであることを特徴とする。
【００２１】
また、上記記載のプログラムを記録したコンピュータ読み取り可能な記録媒体が提供される。
【発明の効果】
【００２２】
本発明によれば、ＢＩＭを実現するための建物の属性情報に基づいて建物の換気量計算及びエアバランス設計を容易に行うことができ、また、整合の取れた換気計算表及びエアバランス図を簡便且つ迅速に作成することができる。
【図面の簡単な説明】
【００２３】
【図１】本発明の実施形態に係る換気設計装置のハードウエア構成を概略的に示すブロック図である。
【図２】本実施形態に係る換気設計方法を実行するためのプログラムを含むＢＩＭの概念図である。
【図３】図１の換気設計装置の機能を説明するための機能ブロック図である。
【図４】図３の換気計算表作成部で作成された換気計算表の一例を示す図である。
【図５】図３のエアバランス図作成部で作成されたエアバランス図の一例を示す図である。
【図６】本実施形態に係る換気設計方法を説明するためのフローチャートである。
【図７】図６におけるステップＳ１５のエアバランス図作成処理を説明するためのフローチャートである。
【図８】（ａ）〜（ｄ）は、図７のエアバランス図作成処理の各ステップを説明する図である。
【図９】図６のステップＳ１６によって表示部に表示される画面の一例を示す図である。
【図１０】図３の制御部の変形例を示す図である。
【図１１】本実施形態に係る換気設計方法の変形例を説明するためのフローチャートである。
【発明を実施するための形態】
【００２４】
以下、本発明の実施形態を図面を参照しながら詳細に説明する。
【００２５】
図１は、本発明の実施形態に係る換気設計装置のハードウエア構成を概略的に示すブロック図である。図１の構成はその一例を示すものであり、本発明に係る換気設計装置の構成は、図１のものに限られない。
【００２６】
同図に示す如く、本実施形態に係る換気設計装置１は、ビルなどの建物の換気を設計するコンピュータであり、制御部２Ａ、記憶部３、入力部４、出力部５、表示部６及び通信Ｉ／Ｆ（インタフェース）７を備え、それぞれがバス８を介して接続されている。
【００２７】
制御部２Ａは、ＣＰＵ(Central Processing Unit)又はＭＰＵ(Micro Processing Unit)のプロセッサによって構成されており、換気設計装置１の動作および各種処理を統括的に制御する。制御部２Ａは、記憶部３に予め記憶された換気設計プログラムを適宜読み出して実行することで、換気設計方法を実現可能に構成されている。換気設計装置１の詳細な動作及び各種処理については後述する。
【００２８】
記憶部３は、例えばＲＯＭ(Read Only Memory)、ＲＡＭ(Random Access Memory)及び／又はハードディスクドライブ等からなり、コンピュータ読み取り可能な記録媒体で構成されている。記憶部３には、制御部２Ａが換気設計を行う処理を実行するためのプログラムが格納されると共に、各種処理に用いられる種々の情報が格納される。記憶部３は、非一過性であり、かつ、コンピュータ読み取り可能な記録媒体で構成されるのが好ましい。
【００２９】
換気設計装置１は、通信インタフェース（Ｉ／Ｆ）７を介して通信網９に接続されており、有線又は無線で外部のシステム等と通信可能に構成されている。通信網９は、例えばＬＡＮ、インターネット等のネットワークである。本実施形態では、換気設計装置１は、通信網９を介してサーバ１０に通信可能に接続されている。
【００３０】
サーバ１０は、ＢＩＭを実現するための建物の属性情報（以下、ＢＩＭ情報ともいう）を格納しており、建物の属性情報を当該換気設計装置１との間で送受信可能に構成されている。ＢＩＭ（Building Information Modeling）とは、コンピュータ上に作成された建物の仮想３次元（３Ｄ）モデルであり、建物を構成する各要素の集合体のモデルである。ＢＩＭ情報は、建物を構成する壁などの各要素の形態（形状・位置）に関する情報、各要素から算出される体積などの数量、仕様などの属性情報、各要素の個数情報を含む。尚、本実施形態ではサーバ１０がＢＩＭ情報を格納しているが、これに限らず、記憶部３がＢＩＭ情報の全部又は一部を格納していてもよい。
【００３１】
図２は、本実施形態に係る換気設計方法を実行するためのプログラムを含むＢＩＭの概念図である。
図２に示すように、ＢＩＭでは、サーバ１０が、建物を構成する各要素に関する情報に加えて、建物の階、室名、床面積、天井高、階高などの室情報を含むＢＩＭ情報を格納しており、当該ＢＩＭ情報に基づいてＣＡＤ図面が作製される。また、建物の空調設計を実行するためのプログラムであるＢＩＭＺＯＮＥ（登録商標）−Σでは、上記ＢＩＭと連携し、サーバ１０に格納されたＢＩＭ情報に基づいて、建物の換気設計方法、建物の熱負荷計算方法、建物の一次エネルギー消費量計算方法等が実行される。そして、本実施形態に係る換気設計方法を実行するためのプログラムであるＢＩＭ−ＶＥＮＴ（登録商標）では、記憶部３が、建物用途、室用途、空調対象室などの空調情報（ＢＩＭＺＯＮＥ情報）を有しており、上述のＢＩＭ情報及び空調情報に基づいて、建物の換気設計が実行される。
【００３２】
本実施形態では、記憶部３が上記建物の空調情報を格納しているが、これに限らず、サーバ１０がＢＩＭ情報の一部として上記建物の空調情報を格納していてもよい。この場合、換気設計方法を実行するためのプログラムでは、空調情報を含むＢＩＭ情報がサーバ１０から取得され、当該ＢＩＭ情報に基づいて、建物の換気設計や機器選定が実行される。
【００３３】
上記換気設計方法を実行するためのプログラムは、建物の熱負荷計算方法を実行するためのプログラム、例えばＢＩＭ−ＬＯＡＤ（登録商標）と連携可能に構築されてもよいし、建物の一次エネルギー消費量計算を実行するためのプログラム、例えばＢＩＭ−ＥＮＥ１（登録商標）と連携可能に構築されてもよい。また、上記換気設計方法を実行するためのプログラムは、上述のプログラム以外の他のプログラムと連携可能に構築されてもよい。
【００３４】
図３は、図１の換気設計装置１の機能を説明するための機能ブロック図である。換気設計装置１の制御部２Ａは、図３の各機能ブロックの機能に従って換気設計方法を実行する。
図３に示すように、制御部２Ａは、室情報取得部２１、必要換気量算出部２３、換気計算表作成部２４、エアバランス図作成部２５及び表示処理部２６を有する。
【００３５】
室情報取得部２１は、サーバ１０に格納されているＢＩＭ情報から、換気設計に必要な建物の各室に関する複数の室情報を取得する。この複数の室情報には、建物の階（例えば「３階」）、室名（例えば「事務室」）、床面積（例えば「ｍ２」）、天井高（例えば「ｍ」）、階高（例えば「ｍ」）等を含む情報群から選択された複数が含まれる。
【００３６】
必要換気量算出部２３は、上記複数の室情報に基づいて、建物の各室の必要換気量を算出する。例えば、必要換気量算出部２３は、室情報取得部２１によって取得された各室の室名及び床面積に基づいて、当該各室の必要換気量（ｍ３／ｈ）を算出することができる。
【００３７】
尚、制御部２Ａは、各室の用途情報に基づいて当該各室の換気計算条件を設定する換気計算条件設定部２２を更に有していてもよい。用途情報は、建物用途に対応して設定された室用途であり、例えば「事務室」、「廊下」などである。また、換気計算条件には、用途情報に対応した必要換気回数（回／ｈ）、収容人数（人）、発生熱量（ｋＪ／ｈ）などの情報が含まれる。
この場合、制御部２Ａは、記憶部３から各室の用途情報を取得することができる。そして、換気計算条件設定部２２は、記憶部３から取得された各室の用途情報に基づいて当該各室の換気計算条件を設定することができる。換気計算条件設定部２２は、各室の用途情報に基づいて、一般換気による換気計算法、火気使用の場合の換気計算法、及び発熱量に基づく換気計算法を含む複数の換気計算法のうちのいずれかを換気計算条件として設定することができる。また、換気計算条件設定部２２は、各室ごとに、第１種換気、第２種換気及び第３種換気のいずれに該当するかを上記換気計算条件に含めることができる。また、必要換気量算出部２３は、各室の室名及び床面積、並びに換気計算条件設定部２２によって設定された当該各室の換気計算条件に基づいて、当該各室の必要換気量（ｍ３／ｈ）を算出することができる。
【００３８】
換気計算表作成部２４は、上記各室の必要換気量に基づいて、後述する上記建物の換気計算表を作成する。換気計算表では、建物の各室の必要換気量を含む各種換気情報がリストアップされており、換気計算書やエアバランス図の作成時に必要となる情報を含んでいる。換気計算表作成部２４によって作成された換気計算表は、液晶ディスプレイなどの表示部６に表示される。換気計算表の詳細については後述する。
【００３９】
エアバランス図作成部２５は、上記各室の必要換気量と上記ＢＩＭ情報から得られる上記建物のＣＡＤ図面とに基づいて、当該建物のエアバランス図を作成する。エアバランス図の詳細については後述する。
【００４０】
表示処理部２６は、換気計算表作成部２４によって作成された換気計算表を表示部６に表示し、また、エアバランス図作成部２５によって作成されたエアバランス図を表示部６に表示する。エアバランス図は、表示部６に単独で表示されてもよいし、上記換気計算表と共に表示されてもよい。
【００４１】
図４は、図３の換気計算表作成部２４で作成された換気計算表の一例を示す図である。図４では、建物の各階に設けられる複数室に関する項目が換気計算表に入力される場合を例に挙げて説明する。
【００４２】
同図において、換気計算表３０は、建物の所定階（例えば３階）について、建物の換気に関する情報として、「階」、「室Ｎｏ．」「室名」、「床面積」、「天井高」、「室容積」、「居室」、「換気種別」、「必要換気量」、「換気計算法」、「換気系統」、「給気量（ＯＡ）」、「排気量（ＥＡ）」、「排気回数」の各項目を含んでいる。
【００４３】
「階（〇〇Ｆ）」、「室名」、「床面積（ｍ２）」及び「天井高（ｍ）」は、それぞれ、ＢＩＭ情報に含まれる階、室名、床面積及び天井高に紐付いた項目であり、例えばユーザの指示入力に応じて換気計算表３０に入力される。「室容積（ｍ３）」は、上記「床面積」及び「天井高」に基づいて算出され、その算出値が換気計算表３０に入力される。これら「室名」、「床面積」、「天井高」及び「室容積」は、ユーザによって入力部４を介して直接入力されてもよく、ＢＩＭ情報に基づいて自動的に入力されてもよい。また、「室名」は、ユーザによって入力される任意の文字列であってもよい。
【００４４】
記憶部３には、ユーザによって室名として入力された上記文字列と、予め記憶部３に格納された空調情報に含まれる室用途とを紐付ける室名−室用途関連情報が格納されてもよい。室名−室用途関連情報では、例えば、室名としてユーザに入力される文字列「オフィス」が「事務室」と紐付けられ、「ＷＣ」が「便所」と紐付けられている。制御部２Ａは、記憶部３に格納された室名−室用途関連情報に基づいて、室名として入力された任意の文字列が室用途のいずれに該当するかを判断することができる。
【００４５】
「居室」は、必要換気量の算出時に、建築基準法等の他の法規によって定められた必要換気回数が満たされているか否かをチェックすべき室であることをを示す項目である。「居室」に「〇」が入力されている場合、当該室の換気計算において、換気回数として例えば０．３回／ｈ以上となっているかどうかの確認が必要となる。
【００４６】
「換気種別」は、各室が第１種換気、第２種換気、第３種換気のいずれに該当するかを示す項目である。第１種換気は、給気及び排気の双方を機械換気とする方式である。第２種換気とは、給気を機械換気とし、排気を自然換気とする方式である。第３種換気は、給気を自然換気とし、排気を機械換気とする方式である。
【００４７】
「必要換気量（ｍ３／ｈ）」は、各室で必要とされる換気量に対応する項目であり、下記「一般換気による換気計算法」、「火気使用の場合の換気計算法」及び「発熱量に基づく換気計算法」を含む複数の換気計算法のうちのいずれかで算出された換気量であって、上記いずれかの換気計算方法が、収容人員などの他の条件を含む場合、当該他の条件を考慮して得られる換気量の最大値を示す。
【００４８】
「換気計算法」は、一般換気による換気計算法、火気使用の場合の換気計算法、発熱に基づく換気計算法を含む複数の換気計算法のうちのいずれで計算するかを示す項目である。
【００４９】
「換気系統」は、各室がいずれの換気系統に属するかを示す項目であり、同じ数字が表示されている室は同一の換気系統に属する。例えば、図４に示すように、３階のエアバランスの対象となる第１換気系統に属する室には「３０１」と入力される。また、いずれの換気系統にも属さず、単独でエアバランスをする室（本実施形態では、機械室）には「−」が入力される。
【００５０】
「給気量（ＯＡ）（ｍ３／ｈ）」は、機械給気によって建物の外部から各室に供給される空気量を示す項目であり、「排気量（ＥＡ）（ｍ３／ｈ）」は、機械排気によって各室から建物の外部へ排出される空気量を示す項目である。これら「給気量（ＯＡ）」及び「排気量（ＥＡ）」は、上記の「必要換気量」に基づいて算出或いは決定される。また、図４では図示していないが、換気計算表３０には、上記で算出或いは決定された複数の室の給気量（ＯＡ）と排気量（ＥＡ）の総和を換気系統ごとに表示する項目「ＯＡ／ＥＡの総和」が自動的に表示される。この時、制御部２Ａは、エアバランスの対象となる換気系統ごとに、複数の室の給気量（ＯＡ）と排気量（ＥＡ）の総和を自動的に算出し、その算出値を換気計算表３０に表示する。また、「換気回数（回／ｈ）」は、１時間当たりに室の空気が外気と入れ替わる回数を示す項目である。
【００５１】
また、換気計算表３０は、換気に関する他の情報として、「換気機器（ＯＡ）」、「換気機器（ＥＡ）」、「機番（ＯＡ）」、「機番(ＥＡ)」、「経路(ＯＡ)」、「経路(ＥＡ)」等を含んでもよい。
【００５２】
「換気機器（ＯＡ）」は、各室の給気側に設置される換気機器の名称に関する項目であり、「換気機器（ＥＡ）」は、各室の排気側に設置される換気機器の名称に関する項目である。「機番（ＯＡ）」及び「機番(ＥＡ)」は、上記換気機器名に対応する型番である。制御部２は、換気機器の名称と換気機器の機番が紐付けられたデータを予め記憶部３に格納しておき、換気機器の名称の入力情報に基づいて、当該換気機器に対応する複数の換気機器の機番の候補をプルダウン等で表示し、ユーザの入力指示によって一の機番を選定してもよい。
機械を使わずに自然換気にて換気を行っている場合には「換気機器」および「機番」の覧で「―」を選択する。
「経路（ＯＡ）」及び「経路（ＥＡ）」は、各室の複数の給気経路、排気経路においてパスが存在するか否かを示す項目である。パスとは、室に対して建物の外部から給排気を直接行うのではなく、他の室等を経由して給排気を行うことを意味する。パスに該当する経路の換気量は、後述するエアバランス調整の際に修正、変更することができる。また、経路（ＯＡ）或いは経路（ＥＡ）に、がらりに関する情報、例えばがらりの機番を含めることができる。
【００５３】
この換気計算表３０において、室Ｎｏ．１では、室名が「事務室」であり、「居室」のための法規上の必要換気量のチェックが必要であり（「〇」あり）、換気種別は「第１種換気」、一般換気による換気計算法が採用される。また、換気系統は「３０１」、必要換気量は「１８００ｍ３／ｈ」、給気量（ＯＡ）は「１８００ｍ３／ｈ」、排気量（ＥＡ）は「１０００ｍ３／ｈ」、換気回数は「１．４回／ｈ」である。以下、換気計算表３０内の各室に対応して上述した複数の項目に表示された値の集合を、「各室に対応する複数の換気関連情報」と称する。
【００５４】
室Ｎｏ．２では、室名が「ＷＣ（Ｍ）」、すなわち男性用便所であり、「居室」のための法規上の必要換気量のチェックが不要であり（「〇」無し）、換気種別は「第３種換気」、一般換気による換気計算法が採用される。また、換気系統は「３０１」、必要換気量は「４５０ｍ３／ｈ」、給気量（ＯＡ）は「０ｍ３／ｈ」、排気量（ＥＡ）は「４５０ｍ３／ｈ」、換気回数は「１０．９回／ｈ」である。室Ｎｏ．３は、室名がＷＣ（Ｗ）、すなわち女性用便所であり、必要換気量が「３５０ｍ３／ｈ」、排気量（ＥＡ）が「３５０ｍ３／ｈ」、換気回数は「１０．１回／ｈ」であること以外は、室Ｎｏ．２と同様である。
【００５５】
室Ｎｏ．４では、室名が「廊下」であり、「居室」のための法規上の必要換気量のチェックが不要であり、また、給気及び排気の双方がパスであり、換気種別は第１種換気から第３種換気のいずれにも該当しない。換気系統は「３０１」、必要換気量は「０ｍ３／ｈ」、給気量（ＯＡ）及び排気量（ＥＡ）のいずれも「０ｍ３／ｈ」である。
【００５６】
室Ｎｏ．５では、室名が「機械室」であり、「居室」のための法規上の必要換気量のチェックが不要であり、一般換気とは異なる発熱量に基づく換気計算法が採用される。換気種別は「第３種換気」、換気系統は、単独系統であるため「−」、必要換気量は「９００ｍ３／ｈ」、給気量（ＯＡ）は「０ｍ３／ｈ」、排気量（ＥＡ）は「９００ｍ３／ｈ」、換気回数は「５．５回／ｈ」である。
【００５７】
また、換気計算表３０に換気系統番号（本実施形態では、「３０１」）を入力すると、同一の換気系統に属する室をまとめて並び替えが自動的に行われる。更に、換気系統ごとに、床面積、室容積、給気量及び排気量のそれぞれの小計を含む小計欄を、自動的に或いはユーザの指示入力によって表示させることができる。
このように、建物の階ごとに、ＢＩＭ情報から取得した情報、ＢＩＭ情報に基づいて算出される必要換気量の情報等が入力された換気計算表を作成することで、ユーザは建物全体の換気計算表を容易に作成することができる。
【００５８】
図５は、図３のエアバランス図作成部２５で作成されたエアバランス図の一例を示す図である。本実施形態のエアバランス図では、例えば、ＢＩＭ情報に基づいて作製された３次元モデルから得られる２次元の建築ＣＡＤ図面（以下、単にＣＡＤ図面ともいう）上に、上述の換気計算表に入力された各室の項目に対応する文字列や図形等が入力される。図５では、建物の３階を示すＣＡＤ図面上に図４の換気計算表３０の所定項目が入力されたエアバランス図を例に挙げて説明する。
【００５９】
図５において、先ず、エアバランス図４０には、建物の３階に設けられる室Ｎｏ．１の事務室４１、室Ｎｏ．２のＷＣ（Ｍ）４２、室Ｎｏ．３のＷＣ（Ｗ）４３、室Ｎｏ．４の廊下４４、室Ｎｏ．５の機械室４５及び空間４６が表示されている。
【００６０】
そして、換気種別毎に、各室が自動的に区別して表示される。例えば、事務室４１は第１種換気であり、ＷＣ（Ｍ）４２、ＷＣ（Ｗ）４３及び機械室４５のいずれも第３種換気であり、廊下４４はパスのみの換気であるため、事務室４１が薄ドット、Ｃ（Ｍ）４２、ＷＣ（Ｗ）４３及び機械室４５が濃ドット、廊下４４が斜線でそれぞれ表示される。尚、換気計算表３０の対象になっていない空間４６は、白色で表示される。
このように、エアバランス図４０に、各室が換気種別に基づいて区別して表示されることで、ユーザは、各室の換気種別を容易に視認することができる。
【００６１】
また、エアバランス図４０には、室Ｎｏ．１〜室Ｎｏ．５の換気情報を示すための表示領域４１Ａ〜４５Ａが自動的に表示される。
具体的には、表示領域４１Ａには、図４の換気計算表３０に基づいて、室Ｎｏ．１の室名「事務室」、給気量（ＯＡ）「１８００ｍ３／ｈ」及び排気量（ＥＡ）「１０００ｍ３／ｈ」が入力される。また、表示領域４１Ａには、図４の換気計算表３０に基づいて、当該室に設置される換気機器を示す情報が入力されてもよく、例えば、全熱交換器の機番を示す「ＨＥＸ−１０１」が給気側及び排気側の双方に入力される。また、表示領域４１Ａにおいて給気量（ＯＡ）から排気量（ＥＡ）を減じた値は「８００ｍ３／ｈ」となり、０よりも大きいことから、事務室４１が正圧状態であることが分かる。
【００６２】
表示領域４２Ａには、室Ｎｏ．２の室名「ＷＣ（Ｍ）」、給気量（ＯＡ）「０ｍ３／ｈ」、及び排気量（ＥＡ）「４５０ｍ３／ｈ」が入力される。表示領域４２Ａには、図４の換気計算表３０に基づいて、当該室に設置される換気機器を示す情報、例えば、排気ファンの機番を示す「ＦＥ−１０１」が排気側に入力される。給気側には自然換気であることを示す「―」が入力される。また、表示領域４２Ａにおいて給気量（ＯＡ）から排気量（ＥＡ）を減じた値は「−４５０ｍ３／ｈ」となり、０よりも小さいことから、ＷＣ４２（Ｍ）は負圧状態であることが分かる。
【００６３】
表示領域４３Ａには、室Ｎｏ．３の室名「ＷＣ（Ｗ）」、給気量（ＯＡ）「０ｍ３／ｈ」及び排気量（ＥＡ）「３５０ｍ３／ｈ」が入力される。表示領域４３Ａには、図４の換気計算表３０に基づいて、当該室に設置される換気機器を示す情報、例えば、排気ファンの機番を示す「ＦＥ−１０２」が排気側に入力される。給気側には自然換気であることを示す「―」が入力される。また、表示領域４３Ａにおいて給気量（ＯＡ）から排気量（ＥＡ）を減じた値は「−３５０ｍ３／ｈ」であり、０よりも小さいことから、ＷＣ（Ｗ）４３は負圧状態であることが分かる。
【００６４】
表示領域４４Ａには、室Ｎｏ．４の室名「廊下」、給気量（ＯＡ）「０ｍ３／ｈ」及び排気量（ＥＡ）「０ｍ３／ｈ」が入力され、換気機器を示す情報は入力されない。また、表示領域４４Ａにおいて給気量（ＯＡ）から排気量（ＥＡ）を減じた値は「０ｍ３／ｈ」であり、廊下４４は外気圧と等しい圧力状態であることが分かる。
【００６５】
表示領域４５Ａには、室Ｎｏ．５の室名「機械室」、給気量（ＯＡ）「０ｍ３／ｈ」及び排気量（ＥＡ）「９００ｍ３／ｈ」が入力される。表示領域４５Ａには、図４の換気計算表３０に基づいて、当該室に設置される換気機器を示す情報、例えば排気ファンの機番を示す「ＦＥ−１０３」が入力されてもよい。給気側には自然換気であることを示す「―」が入力される。また、表示領域４５Ａにおいて給気量（ＯＡ）から排気量（ＥＡ）を減じた値は「−９００ｍ３／ｈ」であるので、機械室は負圧状態であることが分かる。
【００６６】
このように、エアバランス図４０に室Ｎｏ．１〜Ｎｏ．５の換気情報を示すための表示領域４１Ａ〜４５Ａが表示されることで、ユーザは、各室の給気量（ＯＡ）及び排気量（ＥＡ）を容易に視認することができる。また、各室が正圧状態であるか負圧状態であるかを認識することができるので、エアバランス設計において各階の正圧及び負圧の総和がゼロになるように容易に調整することができる。
【００６７】
また、エアバランス図４０には、各換気系統を画定する枠５０が自動的に表示される。この枠５０により、例えばエアバランスの対象となる第１換気系統である事務室４１、ＷＣ（Ｍ）４２、ＷＣ（Ｗ）４３及び廊下４４がゾーニング（範囲指定）される。また、ゾーニングした範囲内の一部の表示領域５０ａに、第１換気系統であることを示す「３０１」が表示される。室Ｎｏ．５の機械室４５は、室単独で給気量（ＯＡ）と排気量（ＥＡ）の和がゼロとなるように予め設計されるため、枠５０の範囲外となる。このようにエアバランス図４０に、各換気系統、特にエアバランスの対象となる第１換気系統を画定する枠５０が表示されることで、ユーザは、建物の各階においてエアバランスを確認、調整すべき領域を容易に視認することができる。
【００６８】
更に、エアバランス図４０には、室Ｎｏ．１〜室Ｎｏ．５にそれぞれ対応する換気経路を示す矢印が自動的に表示され、好ましくは吸気、排気、或いはパスを区別した形態で自動的に表示される。
【００６９】
具体的には、室Ｎｏ．１の事務室４１に表示される矢印４１Ｂ−１は、事務室４１の給気経路を示しており、例えば給気を表す実線で表示される。矢印４１Ｂ−２は、事務室４１の排気経路を示しており、例えば排気を表す一点鎖線で表示される。矢印４４Ｂ−１は、事務室４１から廊下４４への排気経路を示しており、例えばパスを表す破線で表示される。このように事務室４１には、３つの換気経路を示す矢印４１Ｂ−１，４１Ｂ−２，４４Ｂ−１が異なる線種で表示される。
【００７０】
室Ｎｏ．２のＷＣ（Ｍ）４２に表示される矢印４２Ｂは、ＷＣ（Ｍ）４２の排気経路を示しており、例えば一点鎖線で表示される。矢印４４Ｂ−２は、廊下４４からＷＣ（Ｍ）４２へのパスを示しており、例えば破線で表示される。すなわちＷＣ（Ｍ）４２には、２つの換気経路を示す矢印４２Ｂ，４４Ｂ−２が異なる線種で表示される。
【００７１】
室Ｎｏ．３のＷＣ（Ｍ）４３に表示される矢印４３Ｂは、ＷＣ（Ｍ）４２の場合と同様、ＷＣ（Ｍ）４３の排気経路を示しており、例えば一点鎖線で表示される。矢印４４Ｂ−３は、廊下４４からＷＣ（Ｗ）４３へのパスを示しており、例えば破線で表示される。すなわちＷＣ（Ｗ）４３には、２つの換気経路を示す矢印４３Ｂ，４４Ｂ−３が異なる線種で表示される。
【００７２】
室Ｎｏ．４の廊下４４に表示される矢印４４Ｂ−１，４４Ｂ−２，４４Ｂ−３は、上述のようにパスを示しており、例えば破線で表示される。すなわち廊下４４には、３つの換気経路を示す矢印４４Ｂ−１，４４Ｂ−２，４４Ｂ−３が同一の線種で表示される。
【００７３】
このとき、パスの換気量を示す領域４４ａ，４４ｂ，４４ｃが、パスを示す矢印４４Ｂ−１，４４Ｂ−２，４４Ｂ−３にそれぞれ対応して設けられてもよい。例えば、廊下４４には事務室４１が隣接しており、事務室４１では給気量から排気量を減じた値が８００ｍ３／ｈであるため、矢印４４Ｂ−１の近傍に、パスの換気量を示す「８００ｍ３／ｈ」が表示される。同様にして、ＷＣ（Ｍ）４２の給気量／排気量を考慮して、矢印４４Ｂ−２の近傍にパスの換気量を示す「４５０ｍ３／ｈ」が表示される。また、ＷＣ（Ｗ）４３の給気量／排気量を考慮して、矢印４４Ｂ−３の近傍にパスの換気量を示す「３５０ｍ３／ｈ」が表示される。
【００７４】
室Ｎｏ．５の機械室４５に表示される矢印４５Ｂ−１は、機械室４５の給気経路を示しており、例えばパスを表す破線で表示される。矢印４５Ｂ−２は、機械室４５の排気経路を示しており、例えば機械排気を表す一点鎖線で表示される。すなわち機械室４５には、２つの換気経路を示す矢印４５Ｂ−１，４５Ｂ−２が異なる線種で表示される。
【００７５】
このように、エアバランス図４０に各室に対応する換気経路を示す複数の矢印が表示されることで、ユーザは各室の換気経路を容易に視認することができる。また、換気経路を示す矢印が、給気、排気、或いはパスを区別した形態で表示されることで、ユーザは各換気経路が給気、排気或いはパスのいずれに該当するかを容易に視認することができる。
【００７６】
図６は、本実施形態に係る換気設計方法を説明するためのフローチャートである。換気設計方法としての換気計算処理は、制御部２Ａによって実行され、記憶部３或いはサーバ１０に格納された各種データは、この換気計算処理の各ステップに応じて読み出される。
【００７７】
まず、入力部４又は通信Ｉ／Ｆ７を介して通信可能なサーバ１０から、建物の各室Ｎｏ．１〜Ｎｏ．５に関する複数の室情報を取得する（ステップＳ１１）。室情報は、例えば、サーバ１０から読み出した階、室名、床面積、天井高、階高などの情報（ＢＩＭ情報）、及び、ＢＩＭ情報を用いた情報、例えば建物用途、室用途、空調対象室などの情報（ＢＩＭＺＯＮＥ情報）を含む。
【００７８】
次に、取得した複数の室情報に基づいて、各室の換気計算条件を設定することができる（ステップＳ１２）。例えば、室番号Ｎｏ．１では、室用途が事務室であるため、一般換気による換気計算法を用い、収容人員および人間の呼気に含まれる二酸化炭素の発生量に基づく一人あたりに必要な新鮮外気量、シックハウスの防止など衛生面に基づく必要換気回数等を考慮して、換気計算条件を設定する。室番号Ｎｏ．２及びＮｏ．３は、室の用途が便所であるため、一般換気による換気計算法を用い、臭気の排気に必要な必要換気回数などから換気計算条件を設定する。室番号Ｎｏ．５は、室の用途が電気機械室等の機械室であるため、機械から発せられる発熱量に応じた換気計算条件を設定する。尚、換気計算条件の設定は必ずしも行わなくてよく、室の用途に応じたデフォルトの換気計算法に固定することで、本ステップＳ１２を省略することができる。
【００７９】
そして、ステップＳ１１において取得した複数の室情報及びステップＳ１２において取得した換気計算条件に基づいて、各室Ｎｏ．１〜Ｎｏ．５の必要換気量を算出する（ステップＳ１３）。例えば、図４及び図５に示す室番号Ｎｏ．１の事務室４１の場合、室名、床面積、天井高等に関する情報と、換気計算条件（収容人員や一人当たりの必要換気量、シックハウス防止のための必要換気回数など）に基づいて、一般換気による換気計算法を用い、必要換気量が１８００ｍ３／ｈと算出される。同様にして、換気計算対象となる全ての室Ｎｏ．１〜Ｎｏ．５の必要換気量を求める。尚、上記ステップＳ１２を省略する場合、制御部２Ａは、ステップＳ１１において取得した複数の室情報、例えば室名及び床面積に基づき、所定の換気計算法を用い、各室Ｎｏ．１〜Ｎｏ．５の必要換気量を算出することができる。
【００８０】
次に、ステップＳ１３で算出された各室Ｎｏ．１〜Ｎｏ．５の必要換気量に基づいて、図４に示す建物の換気計算表３０を作成する（ステップＳ１４）。
【００８１】
更に、入力部４又は通信Ｉ／Ｆ７を介して通信可能なサーバ１０から、ＢＩＭ情報から得られる建物のＣＡＤ図面を取得し、ステップＳ１３で算出された室Ｎｏ．１〜Ｎｏ．５の必要換気量と建物の上記ＣＡＤ図面とに基づいて、図５に示す建物のエアバランス図４０を作成する（ステップＳ１５）。
【００８２】
図７は、図６におけるステップＳ１５のエアバランス図作成処理を説明するためのフローチャートであり、図８（ａ）〜（ｄ）は、図７のエアバランス図作成処理の各ステップを説明する図である。このエアバランス図作成処理は、上記の換気計算方法と同様、制御部２Ａによって実行される。
【００８３】
まず、ＢＩＭ情報から得られるＣＡＤ図面における各室を、換気種別毎に区別して表示する（ステップＳ２１）（図８（ａ））。例えば、３階の事務室４１は第１種換気であるので薄ドットで表示し、ＷＣ（Ｍ）４２、ＷＣ（Ｗ）４３及び機械室４５はいずれも第３種換気であるので濃ドットで表示し、廊下４４はいずれの換気種別にも該当しないため斜線で表示する。また、換気計算の対象になっていない空間４６を白色で表示する。
【００８４】
次に、ＣＡＤ図面に表示された各室の表示領域に、換気量及び換気機器の機番を表示する（ステップＳ２２）（図８（ｂ））。例えば、事務室４１に対応する表示領域４１Ａを表示し、該表示領域４１Ａに、室Ｎｏ．１、換気量（ＯＡ）、換気量（ＥＡ）、換気機器の機番（ＯＡ）及び機番（ＥＡ）を表示する。同様にして、ＷＣ（Ｍ）４２，ＷＣ（Ｗ）４３，廊下４４，機械室４５にそれぞれ対応する表示領域４２Ａ，４３Ａ，４４Ａ，４５Ａに、該当する各室の換気量（ＯＡ）、換気量（ＥＡ）、換気機器の機番（ＯＡ）及び換気機器の機番（ＥＡ）を表示する。
【００８５】
次いで、ＣＡＤ図面に表示された複数の室を、換気計算表３０の換気系統ごとにゾーニングし、集計する（ステップＳ２３）（図８（ｃ））。例えば、エアバランスの対象となる第１換気系統である事務室４１、ＷＣ（Ｍ）４２、ＷＣ（Ｗ）４３及び廊下４４をゾーニングした枠５０を表示する。そして、枠５０でゾーニングされた上記４室の給気量の総和及び換気量の総和をそれぞれ集計する。
【００８６】
その後、枠５０内でゾーニングされた各室の換気経路を示す矢印を表示する（ステップＳ２４）（図８（ｄ））。例えば、事務室４１について、実線の矢印４１Ｂ−１及び一点鎖線の矢印４１Ｂ−２を表示する。上記と同様にして、ＷＣ（Ｍ）４２について一点鎖線の矢印４２Ｂおよび破線４４Ｂ−２を表示し、ＷＣ（Ｗ）４３について一点鎖線の矢印４３Ｂと破線４４Ｂ−３を表示する。そして、パスとなる廊下４４について、破線４４Ｂ−１とを、それぞれ表示する。更に、機械室４５について、実線の矢印４５Ｂ−１及び一点鎖線の矢印４５Ｂ−２を表示する。本ステップで表示された各矢印は、設計者の指示入力により、外壁の境界部などの任意の位置へ移動、編集することが出来る。
【００８７】
図６の処理に戻り、その後、制御部２Ａは、ステップＳ１４において作成した換気計算表３０及びステップＳ１５において作成したエアバランス図４０の双方をリアルタイムに表示部６に表示する（ステップＳ１６）。例えば、表示部６の１つの画面上に、換気計算表３０と、エアバランス図４０とが表示される（図７参照）。ステップＳ１６の処理を行った後、本換気設計処理を終了する。
【００８８】
図９は、図６のステップＳ１６によって図１の表示部６に表示される画面の一例を示す図である。
図９において、画面７０は、換気計算表３０を表示するウィンドウ７１と、エアバランス図４０を表示するウィンドウ７２と、ＢＩＭ情報に基づいて作製された３次元ＣＡＤ図面を表示するウィンドウ７３とを含む。このとき、表示処理部２６は、換気計算表３０のウィンドウ７１、エアバランス図４０のウィンドウ７２、３ＤＣＡＤ図面のウィンドウ７３のうちの２つ或いは全部を選択し、画面７０に同時に表示することができる。また、表示処理部２６は、ウィンドウ７１，７２，７３のうちの何れかを選択して画面７０に表示した上で、ユーザの入力指示に応じて他のいずれかのウィンドウに切換表示することもできる。
【００８９】
上述したように、本実施形態によれば、制御部２Ａが、ＢＩＭ情報から、建物の各室に関する複数の室情報を取得し、複数の室情報に基づいて建物の各室の必要換気量を算出し、該各室の必要換気量に基づいて建物の換気計算表３０を作成し、また、各室の必要換気量とＢＩＭ情報から得られる建物の２次元の建築ＣＡＤ図面とに基づいて、当該建物のエアバランス図４０を作成するので、ＢＩＭ上で建物の換気計算表３０やエアバランス図４０の作成を一元化して行うことができ、整合の取れた換気計算表３０及びエアバランス図４０を簡便且つ迅速に作成することができる。
【００９０】
また、換気計算条件設定部２２は、各室の用途情報に基づいて当該各室の換気計算条件を設定し、必要換気量算出部２３が、各室の室名及び床面積並びに上記換気計算条件に基づいて、各室の必要換気量を算出するので、各室の室用途に応じた必要換気量をより正確に算出することができる。
【００９１】
また、表示処理部２６は、換気計算表３０及びエアバランス図４０の双方をリアルタイムに表示するので、ユーザは、換気計算表３０及びエアバランス図４０の双方を見ながらエアバランスを検討することができ、エアバランス図４０を作成し易くなり、利便性を向上することができる。
【００９２】
図１０は、図３の制御部２Ａの変形例を示す図である。図１０中、図３と同一の機能ブロックには、同一の参照符号を付して、説明を省略する。
図１０において、制御部２Ｂは、図３の制御部２Ａと同様に室情報取得部２１、必要換気量算出部２３、換気計算表作成部２４、エアバランス図作成部２５及び表示処理部２６を有すると共に、これらに加えて、表示情報変更部２７、換気機器情報送信部２８及び出力処理部２９を更に有している。
【００９３】
表示情報変更部２７は、表示処理部２６によって表示された換気計算表３０内の建物の複数の室に対応する換気関連情報を、換気系統ごとに並べ替える。例えば、表示情報変更部２７は、換気計算表３０内の３階の複数の室を対象として、エアバランスの対象となる第１換気系統に属する室、すなわち換気系統に「３０１」が入力されている室と、エアバランスの対象とならない室、すなわち換気系統に「―」が入力されている室とを、ソートして表示することができる。また、表示情報変更部２７は、エアバランスの対象となる第１換気系統に属する室のみをソートして表示することもできる。
【００９４】
また、表示情報変更部２７は、表示処理部２６によって表示されたエアバランス図４０における各室の換気種別を表すドットや斜線、各室に対応する表示領域に表示された換気量や換気機器、及び各室の換気経路を示す矢印の位置や向き、線種等を、ユーザの変更指示入力に応じて変更することができる。また、表示情報変更部２７は、枠５０でゾーニングする範囲を、ユーザの変更指示入力に応じて調整することができる。
【００９５】
換気機器情報送信部２８は、換気計算表３０に含まれる換気関連情報の一部を外部に送信する。例えば、換気機器情報送信部２８は、換気計算表３０に含まれる室名、給気量（ＯＡ）、排気量（ＥＡ）、換気機器（ＯＡ）、換気機器（ＥＡ）、機番（ＯＡ）、機番（ＥＡ）、経路（ＯＡ）及び経路（ＥＡ）を、換気系統ごとに外部に送信することができる。
【００９６】
記憶処理部２９は、換気計算表３０及びエアバランス図４０を関連付けて記憶部３に記憶する。記憶処理部２９は、換気計算表３０及びエアバランス図４０を纏めてサーバ１０などの外部に記憶させるために、換気計算表３０及びエアバランス図４０を関連付けて外部に送信してもよい。
【００９７】
図１１は、本実施形態に係る換気設計方法の変形例を説明するためのフローチャートである。図１１の換気設計方法は、制御部２Ｂによって実行され、記憶部３或いはサーバ１０に格納された各種データは、この換気計算処理の各ステップに応じて読み出される。図１１中、図６と同一のステップには、同一の参照符号を付して、説明を省略する。
【００９８】
図１１において、ステップＳ１６の後、表示部６に表示された換気計算表３０内の複数の室に対応する換気関連情報を、換気系統ごとに並べ替える（ステップＳ３１）。
【００９９】
次に、換気系統ごとに並べ替えた換気計算表３０を用いて、第１換気系統の給気量（ＯＡ）と排気量（ＥＡ）の総和がゼロとなるように調整を行う（ステップＳ３２）。例えば、ユーザが、表示部６上に表示された換気計算表３０及びエアバランス図４０を見ながら、入力部４を介して換気計算表３０の給気量や排気量、或いはパスを変更するための変更指示入力を行い、制御部２が、入力された該変更指示入力に基づいてエアバランス図４０の各表示領域に表示された給気量（ＯＡ）／排気量（ＥＡ）等を変更することができる。例えば、第１換気系統の給気量（ＯＡ）の総和から排気量（ＥＡ）の総和を減じた値が０よりも大きい場合、複数の室における給気量（ＯＡ）のうちの少なくとも１つを小さくするか、或いは複数の室における排気量（ＥＡ）のうちの少なくとも１つを大きくすることで、エアバランスを取ることができる。
具体的には、ユーザは、必要換気量および換気系統ごとのエアバランスを見ながら給気量（ＯＡ）と排気量（ＥＡ）を調整及び決定することができる。例えば、図４及び図５に示す第１換気系統「３０１」の場合、ＷＣ（Ｍ）４２とＷＣ（Ｗ）４３の排気量の合計が８００ｍ３／ｈであることから、事務室４１へ給気された１８００ｍ３／ｈの内の８００ｍ３／ｈを、廊下４４経由でＷＣ（Ｍ）４２とＷＣ（Ｗ）４３へパスとして供給する。そこで、事務室４１の排気量を１８００ｍ３／ｈから１０００ｍ３／ｈに減らして、余剰排気分（８００ｍ３／ｈ）を廊下へパスとして供給することで、全体のエアバランスを０とする。
また、エアバランスの対象となっている第１換気系統において初期段階或いは調整後にエアバランスが取れていない場合に、画面７０上で、エアバランスが取れていない旨を表示するエラー表示を行ってもよい。敢えてエアバランスを取らない設計を行う場合には、エラー表示が行われないように設定することもできる。
【０１００】
次いで、換気計算表３０及びエアバランス図４０を、出力部５を介して出力する（ステップＳ３３）。このとき、データ出力、プリント出力などの各種出力形態を選択することができる。また、制御部２は、換気計算書及びエアバランス図の所定の書式を予め記憶部３に格納しておき、換気計算書及びエアバランス図の出力の際に、所定の書式を記憶部３から読み出し、換気計算表３０及びエアバランス図４０を所定の書式に整えてから出力してもよい。
【０１０１】
その後、必要に応じて、換気計算表３０に含まれる換気関連情報の一部、例えば室名、給気量（ＯＡ）、排気量（ＥＡ）、換気機器（ＯＡ）、換気機器（ＥＡ）、機番（ＯＡ）、機番（ＥＡ）、経路（ＯＡ）及び経路（ＥＡ）を、サーバ１０などの外部に送信する（ステップＳ３４）。これにより、建物の設計図フォーマットなどを用いて、換気機器及びがらりの詳細情報が含まれる換気機器・がらりリストを容易に作成することができる。
【０１０２】
尚、本ステップＳ３４において、制御部２が、換気計算表３０で選定された換気機器の名称、換気機器の機番、がらりの型番等に基づいて換気機器・がらり選定表を作成し、該換気機器・がらり選定表を外部に送信してもよい。
【０１０３】
次いで、制御部２Ｂは、換気計算表３０及びエアバランス図４０を記憶部３に関連付けて記憶し（ステップＳ３５）、本換気設計処理を終了する。
【０１０４】
本変形例によれば、表示情報変更部２７は、表示処理部２６によって表示された換気計算表３０内の建物の複数の室に対応する複数の換気関連情報を、換気系統ごとに並べ替えるので、ユーザがエアバランスの集計を一目でできるようになり、エアバランス図を正確且つ簡単に作成することができる。
【０１０５】
また、ユーザは、表示部６の画面７０に表示された換気計算表３０及びエアバランス図４０を見ながら、換気計算表３０に表示された各室の給気量（ＯＡ）及び排気量（ＥＡ）の数値を変更するなどの簡単な調整で、エアバランスの対象となる第１換気系統の給気量（ＯＡ）及び排気量（ＥＡ）の総和をゼロにすることができる。よって、ユーザは、エアバランス設計を簡単に行うことができ、更には、換気計算表３０及びエアバランス図４０の一方で変更した内容を他方に自動的に反映させることができ、エアバランス図４０を更に容易に作成することができる。
【０１０６】
また、出力処理部２９は、換気計算表３０及びエアバランス図４０を出力するので、シックハウス対策などで建物の換気計算書やエアバランス図の提出が求められる場合に、書類を容易且つ迅速に作成することができる。
【０１０７】
以上、本発明の実施形態に係る換気設計装置及び換気設計方法について述べたが、本発明は記述の実施形態に限定されるものではなく、本発明の技術思想に基づいて各種の変形および変更が可能である。
【符号の説明】
【０１０８】
１  換気設計装置
２Ａ  制御部
２Ｂ  制御部
３  記憶部
４  入力部
５  出力部
６  表示部
７  通信インタフェース（Ｉ／Ｆ）
８  バス
９  通信網
１０  サーバ
２１  室情報取得部
２２  換気計算条件設定部
２３  必要換気量算出部
２４  換気計算リスト作成部
２５  エアバランス図作成部
２６  表示処理部
２７  表示情報変更部
２８  換気機器情報送信部
２９  記憶処理部
３０  換気計算表
４０  エアバランス図
４１  事務室
４１Ａ  表示領域
４１Ｂ−１  矢印
４１Ｂ−２  矢印
４２  ＷＣ（Ｍ）
４２Ａ  表示領域
４２Ｂ  矢印
４３  ＷＣ（Ｗ）
４３Ａ  表示領域
４３Ｂ  矢印
４４  廊下
４４Ａ  表示領域
４４ａ，４４ｂ，４４ｃ  領域
４４Ｂ−１  矢印
４４Ｂ−２  矢印
４４Ｂ−３  矢印
４５  機械室
４５Ａ  表示領域
４５Ｂ−１  矢印
４５Ｂ−２  矢印
４６  空間
５０  枠
５０ａ  表示領域
７０  画面
７１，７２，７３  ウィンドウ
【図１】
2019067083.tif 000003
【図２】
2019067083.tif 000004
【図３】
2019067083.tif 000005
【図４】
2019067083.tif 000006
【図５】
2019067083.tif 000007
【図６】
2019067083.tif 000008
【図７】
2019067083.tif 000009
【図８】
2019067083.tif 000010
【図９】
2019067083.tif 000011
【図１０】
2019067083.tif 000012
【図１１】
2019067083.tif 000013